(57)【要約】【課題】カラーエリアイメージセンサを用いて、複雑な補間処理を用いずに白黒文字原稿等を高解像度且つ高コントラストで読み取り、高精度に再現することができる画像読取装置を提供する。【解決手段】本発明に係る画像読取装置１００は、載置面１０１に載置された原稿Ｍの画像情報を取得する画像読取装置１００であって、同一面上に配列された複数色に対応する複数の受光素子を含む撮像部１０３と、載置面１０１を単色光で照明可能な照明部１０４と、単色光で照明された原稿Ｍを撮像部１０３により撮像することで得られる、複数の受光素子の夫々の受光強度に基づく情報を加算処理することによって、画像情報を取得する演算部１０６と、を備えることを特徴とする。【選択図】図１
2016225689.tif 000002
【特許請求の範囲】
【請求項１】
載置面に載置された原稿の画像情報を取得する画像読取装置であって、
同一面上に配列された複数色に対応する複数の受光素子を含む撮像部と、
前記載置面を単色光で照明可能な照明部と、
前記原稿が白黒原稿の際に、前記単色光で照明された前記原稿を前記撮像部により撮像することで得られる、前記複数の受光素子の夫々の受光強度に基づく情報を加算処理することによって、前記画像情報を取得する演算部と、
を備えることを特徴とする画像読取装置。
【請求項２】
前記演算部は、前記受光強度に基づく情報を加算処理した後に、２値化処理を行うことを特徴とする、請求項１に記載の画像読取装置。
【請求項３】
前記受光強度に基づく情報は、前記複数色の各受光素子の受光強度それぞれのピーク強度で正規化した情報であることを特徴とする、請求項１又は２に記載の画像読取装置。
【請求項４】
前記照明部は、前記載置面を白色光で照明可能であることを特徴とする、請求項１乃至３のいずれか一項に記載の画像読取装置。
【請求項５】
前記原稿が白黒原稿でない場合には、前記照明部は前記載置面を白色光で照明し、前記演算部はカラー補間処理を行うことを特徴とする、請求項４に記載の画像読取装置。
【請求項６】
前記原稿が白黒原稿である場合には、前記演算部はカラー補間処理を行わないことを特徴とする、請求項１乃至５のいずれか一項に記載の画像読取装置。
【請求項７】
前記複数の受光素子は、Ｒ、Ｇ、Ｂの各色に対応し、ベイヤー配列されていることを特徴とする、請求項１乃至６のいずれか一項に記載の画像読取装置。
【請求項８】
前記照明部は、半値幅が１００ｎｍ以下のＬＤ又はＬＥＤ光源を備えていることを特徴とする、請求項１乃至７のいずれか一項に記載の画像読取装置。
【請求項９】
前記照明部は、前記載置面に画像を投射可能であることを特徴とする、請求項１乃至８のいずれか一項に記載の画像読取装置。
【請求項１０】
載置面に載置された原稿の画像情報を取得する画像読取方法であって、
前記原稿を単色光で照明する第１の照明ステップと、
前記照明された前記原稿を、同一面上に配列された複数色に対応する複数の受光素子により撮像する撮像ステップと、
前記原稿が白黒原稿の際に、該撮像ステップにより得られる前記複数の受光素子の夫々の受光強度に基づく情報を加算処理することによって、前記画像情報を取得する第１の演算ステップと、
を含むことを特徴とする画像読取方法。
【請求項１１】
前記第１の演算ステップは、前記受光強度に基づく情報を加算処理した後に、２値化処理を行うステップをさらに含むことを特徴とする、請求項１０に記載の画像読取方法。
【請求項１２】
前記受光強度に基づく情報は、前記複数色の各受光素子の受光強度それぞれのピーク強度で正規化した情報であることを特徴とする、請求項１０又は１１に記載の画像読取方法。
【請求項１３】
前記原稿を白色光で照明する第２の照明ステップをさらに含むことを特徴とする、請求項１０乃至１２のいずれか一項に記載の画像読取方法。
【請求項１４】
前記原稿が白黒原稿でない場合には、前記第２の照明ステップによって前記原稿を照明し、前記撮像ステップにより得られる前記複数の受光素子の夫々の受光強度に基づく情報に対してカラー補間処理することによって、前記画像情報を取得する第２の演算ステップをさらに含むことを特徴とする、請求項１３に記載の画像読取方法。
【請求項１５】
前記原稿が白黒原稿である場合には、前記第２の演算ステップは行わないことを特徴とする、請求項１４に記載の画像読取方法。
【請求項１６】
前記複数の受光素子は、Ｒ、Ｇ、Ｂの各色に対応し、ベイヤー配列されていることを特徴とする、請求項１０乃至１５のいずれか一項に記載の画像読取方法。
【請求項１７】
前記第１の照明ステップは、半値幅が１００ｎｍ以下のＬＤ又はＬＥＤ光源によって行われることを特徴とする、請求項１０乃至１６のいずれか一項に記載の画像読取方法。
【請求項１８】
前記第１の照明ステップは、前記原稿に画像を投射することによって行われることを特徴とする、請求項１０乃至１７のいずれか一項に記載の画像読取方法。
【請求項１９】
前記第２の照明ステップは、前記原稿に画像を投射することによって行われることを特徴とする、請求項１３乃至１５のいずれか一項に記載の画像読取方法。
【発明の詳細な説明】
【技術分野】
【０００１】
本発明は、カラーエリアイメージセンサを用いた画像読取装置に関する。
【背景技術】
【０００２】
従来の画像読取装置における画像読取部で用いられるカラーエリアイメージセンサでは、図１４に示されるように、いわゆるベイヤー型と呼ばれる、Ｒ（赤）：Ｇ（緑）：Ｂ（青）＝１：２：１の画素数比率で、各色の受光素子が面状に配置されている。
【０００３】
ベイヤー型で配列されたカラーエリアイメージセンサでは、Ｒ色及びＢ色では３／４、Ｇ色では１／２の画素（欠落画素）で情報が欠落している。
従来の画像読取装置では、画像情報として出力する際に、欠落画素における情報は隣接画素からの補間処理によって補間される。補間処理方法として様々な方法が提案されているが、多くの方法において、コントラスト低下や偽色と呼ばれる画像の色づきが発生してしまう。
特に、印刷物等の白黒文字原稿においては、白色の下地に黒色の微細な文字が多く使われているため、コントラスト低下も偽色も好ましくない。
これらの対策として種々の提案がされており、特許文献１においては、反復アルゴリズムを用いた補間処理等が提案されている。
【先行技術文献】
【特許文献】
【０００４】
【特許文献１】特開２００３−１７９９４１号公報
【非特許文献】
【０００５】
【非特許文献１】電子情報通信学会『知識の森』８群−４編−２章（Ｖｅｒ．１／２０１１年１０月２５日）
【発明の概要】
【発明が解決しようとする課題】
【０００６】
しかしながら、特許文献１に開示されている反復アルゴリズム等の補間処理では、収束するまでの計算量が多くなるため、計算時間が長くなる。
また、あくまで欠落画素における情報を隣接画素から推定しているため、原稿画像を必ずしも高精度に再現できるとは限らない。
そこで、本発明は、カラーエリアイメージセンサを用いて、複雑な補間処理を用いずに白黒文字原稿等を高解像度且つ高コントラストで読み取り、高精度に再現することができる画像読取装置を提供することを目的とする。
【課題を解決するための手段】
【０００７】
本発明に係る画像読取装置は、載置面に載置された原稿の画像情報を取得する画像読取装置であって、同一面上に配列された複数色に対応する複数の受光素子を含む撮像部と、載置面を単色光で照明可能な照明部と、単色光で照明された原稿を撮像部により撮像することで得られる、複数の受光素子の夫々の受光強度に基づく情報を加算処理することによって、画像情報を取得する演算部と、を備えることを特徴とする。
【発明の効果】
【０００８】
本発明によれば、カラーエリアイメージセンサを用いて、複雑な補間処理を用いずに白黒文字原稿等を高解像度且つ高コントラストで読み取り、高精度に再現することができる画像読取装置を提供することができる。
【図面の簡単な説明】
【０００９】
【図１】第一実施形態に係る画像読取装置の模式的斜視図。
【図２】第一実施形態に係る画像読取装置の模式的断面図。
【図３】第一実施形態に係る画像読取装置の動作のフローチャート。
【図４】Ｇ色のＬＤのスペクトルを示した図。
【図５】カラーエリアイメージセンサ１０３２の各受光素子がＧ色のＬＤによって照明された白黒文字原稿の白色の下地から反射された光線を受光する際に得られる各スペクトルを示した図。
【図６】一般的な白色ＬＥＤのスペクトルを示した図。
【図７】カラーエリアイメージセンサ１０３２の各受光素子が白色のＬＥＤによって照明された白黒文字原稿の白色の下地から反射された光線を受光する際に得られる各スペクトルを示した図。
【図８】第一実施形態に係る画像読取装置において行われる加算処理及び従来の画像読取装置において行われる補間処理を示した図。
【図９】第二実施形態に係る画像読取装置の動作のフローチャート。
【図１０】Ｇ色のＬＥＤのスペクトルを示した図。
【図１１】カラーエリアイメージセンサ１０３２の各受光素子がＧ色のＬＥＤによって照明された白黒文字原稿の白色の下地から反射された光線を受光する際に得られる各スペクトルを示した図。
【図１２】第二実施形態に係る画像読取装置において行われる加算処理及び２値化処理を示した図。
【図１３】カラーエリアイメージセンサ１０３２の各受光素子の分光特性を示した図。
【図１４】カラーエリアイメージセンサ１０３２の各受光素子の配置を示した図。
【発明を実施するための形態】
【００１０】
以下、本発明に係る画像読取装置について図面に基づいて説明する。なお、以下に示す図面は、本発明を容易に理解できるようにするために、実際とは異なる縮尺で描かれている場合がある。
【００１１】
図１は、第一実施形態に係る画像読取装置１００の模式的斜視図を示している。
【００１２】
画像読取装置１００は、載置台１０１、フレーム１０２、カメラ（撮像部）１０３、プロジェクター（照明部）１０４及び制御部（演算部）１０６を備えている。
【００１３】
載置台１０１の載置面上には、例えば原稿Ｍが載置される。
フレーム１０２は、載置台１０１に固定されており、カメラ１０３及びプロジェクター１０４を支持固定している。
カメラ１０３は、載置台１０１の投影読取範囲内の画像を読み取る。
プロジェクター１０４は、載置台１０１の投影読取範囲内に画像を投影する。換言すると、プロジェクター１０４は、単色光又は白色光で載置台１０１の投影読取範囲内を照明可能である。
制御部１０６は、カメラ１０３及びプロジェクター１０４の動作を制御する。具体的には、制御部１０６は、プロジェクター１０４に画像を投影するための投影画像信号を送信する。また、制御部１０６は、カメラ１０３に画像の読取を指示するための読取指示信号を送信する。さらに、制御部１０６は、カメラ１０３が読み取った画像に基づいた読取画像信号を受信して処理する。
【００１４】
図２は、第一実施形態に係る画像読取装置１００の模式的断面図を示している。
【００１５】
カメラ１０３は、読取レンズ１０３１、カラーエリアイメージセンサ（撮像素子）１０３２及びシャッター１０３３を備えている。
読取レンズ１０３１は、投影読取範囲の画像を、カラーエリアイメージセンサ１０３２面上に結像する。
光路の途中には機械的なシャッター１０３３が設けられており、シャッター１０３３は、開閉タイミング及び開放時間に応じて適切な露光量になるように、制御されている。
カラーエリアイメージセンサ１０３２としては、ＣＣＤ（Ｃｈａｒｇｅ  Ｃｏｕｐｌｅｄ  Ｄｅｖｉｃｅ）方式やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）方式などが採用されている。カラーエリアイメージセンサ１０３２は、複数の微細な受光素子が面内に敷き詰められることによって、二次元画像情報を得ることができる。
カラーエリアイメージセンサ１０３２では、図１４に示されるように、ベイヤー型のＲ：Ｇ：Ｂ＝１：２：１の画素数比率で、各色（複数色）の受光素子が面状に配置されている（ベイヤー配列が形成されている）。
なお、各色の受光素子は、カラーフィルター及びフォトダイオードで構成されている。
また、カラーエリアイメージセンサ１０３２は、図１３に示されるような分光特性（相対分光感度）を有している（非特許文献１参照）。
換言すると、カラーエリアイメージセンサ１０３２は、同一面上に配列された複数色に対応する複数の受光素子で構成されている。
【００１６】
プロジェクター１０４は、投影レンズ１０４１、画像表示素子１０４２及び光源装置１０４３を備えている。
投影レンズ１０４１は、画像表示素子１０４２によって表示されている画像を投影読取範囲内に結像する。
画像表示素子１０４２は、光源装置１０４３から出射した光線を、画像情報に応じて面内の反射率又は透過率を変化させることによって、部分的に変化させる。
光源装置１０４３は、Ｒ、Ｇ、Ｂ色のレーザーダイオード（ＬＤ）光源から構成されており、各色の光線を射出する。光源装置１０４３は、各色の光源を順次繰り返し点灯することによって、投影読取範囲内に擬似白色光を投影する。なお、これに限らず、各色の光源を同時に点灯することによって、白色光を投影してもよい。
すなわち、プロジェクター１０４は、載置台１０１に画像を投射可能である。
【００１７】
図３は、第一実施形態に係る画像読取装置１００の動作のフローチャートを示している。
【００１８】
まず、画像読取装置１００において、画像の読み取りが指示されると（Ｓ１０）、プロジェクター１０４によって載置台１０１の投影読取範囲内に白色光が投影され（Ｓ１１）、カメラ１０３が投影読取範囲内の画像を読み取る（Ｓ１２）。
そして、制御部１０６は、読み取られた画像が単色画像であるか判定を行う（Ｓ１３）。もし、読み取られた画像が白黒文字原稿等の単色画像である場合には（Ｓ１３のＹｅｓ）、プロジェクター１０４によって投影読取範囲内にＧ色の光（単色光）が投影（照明）される（Ｓ１４）。
そして、Ｇ色の光が投影された状態で、カメラ１０３が投影読取範囲内の画像を読み取る（Ｓ１５）。そして、制御部（演算部）１０６は、読み取られた画像に対して加算処理を行い（Ｓ１６）、処理された読取画像情報が出力され（Ｓ１８）、画像読取装置１００は、画像の読み取りを終了する（Ｓ１９）。
一方で、もし、Ｓ１２において読み取られた画像が単色画像でなかった場合には（Ｓ１３のＮｏ）、制御部１０６は、Ｓ１２において読み取られた画像に対してカラー補間処理を行う（Ｓ１７）。そして、処理された読取画像情報が出力され（Ｓ１８）、画像読取装置１００は、画像の読み取りを終了する（Ｓ１９）。
なお、Ｓ１６における加算処理の詳細については後述する。また、Ｓ１７におけるカラー補間処理については、本発明の範囲外であるため、説明を省略する。
【００１９】
図４は、光源装置１０４３のＧ色のＬＤのスペクトルを示しており、Ｇ色のＬＤは、約５２０ｎｍに中心を持ち、半値幅が１１ｎｍの幅の狭い分光特性を有していることがわかる。
【００２０】
そして、このＧ色のＬＤによって照明された白黒文字原稿の白色の下地から反射された光線を、カラーエリアイメージセンサ１０３２のＲ色、Ｇ色、Ｂ色それぞれの受光素子が受光する場合に、図５に示されるようなスペクトルが得られる。
図５に示されるように、カラーエリアイメージセンサ１０３２のＲ色、Ｇ色、Ｂ色それぞれの受光素子が得るスペクトルは、ほぼ重なっており、すなわち、各色の受光素子がともに同じ波長帯の光を受光する画像読み取りができることがわかる。
なお、図５に示される各スペクトルはそれぞれ、ピーク強度が１になるように正規化されていることに注意されたい。
【００２１】
図６は、一般的な白色ＬＥＤ（Ｂ色のＬＥＤ＋蛍光体）のスペクトルを示している。そして、この白色ＬＥＤによって照明された白黒文字原稿の白色の下地から反射された光線を、カラーエリアイメージセンサ１０３２のＲ色、Ｇ色、Ｂ色それぞれの受光素子が受光する場合に、図７に示されるようなスペクトルが得られる。
この場合、カラーエリアイメージセンサ１０３２のＲ色、Ｇ色、Ｂ色それぞれの受光素子が得るスペクトルは、重なっていない。すなわち、各色の受光素子が大きく異なる波長帯の光を受光することになり、読取レンズ１０３１に存在する色収差などの影響を受けてしまうため、好ましくない。
なお、図７に示される各スペクトルはそれぞれ、ピーク強度が１になるように正規化されていることに注意されたい。
【００２２】
次に、Ｓ１６における加算処理について具体的に述べる。
【００２３】
図８は、第一実施形態に係る画像読取装置１００において行われる加算処理及び従来の画像読取装置において行われる補間処理の図を示している。
【００２４】
まず、（Ｉ）に示されるような白黒文字原稿画像（白黒原稿）を（ＩＩ）に示されるようなカラーエリアイメージセンサ１０３２で読み取る場合を考える。ここで、（Ｉ）中の数字は、明度を表しており、すなわち、０及び１はそれぞれ、黒及び白である。
Ｇ色の光が原稿に投影された状態で、カラーエリアイメージセンサ１０３２が原稿画像を読み取ると、Ｒ色、Ｇ色、Ｂ色それぞれの受光素子の受光強度は（ＩＩＩ）のように取得される。
ここで、（ＩＩＩ）に示されているように、それぞれの受光素子が得る各スペクトルはそれぞれ、図５と同様に、ピーク強度が１になるように正規化されていることに注意されたい。
そして、（ＩＩＩ）に示されているＲ色、Ｇ色、Ｂ色それぞれの受光素子の正規化された受光強度（受光強度に基づく情報）を加算する（加算処理）と、（ＩＶ）に示されているような読取画像情報を得ることができる。
従って、本実施形態に係る画像読取装置１００では、加算処理を行うことによって、白黒文字原稿画像を高精度に再現した読取画像情報を得ることができる。
【００２５】
一方で、従来の画像読取装置では、（ＩＩＩ）に示されているＲ色、Ｇ色、Ｂ色それぞれの受光素子の受光強度に基づいて、各受光素子の周りの欠落画素に対して、隣接する画素の受光強度から推定して（ＩＩＩａ）に示されるような補間処理が行われる。そして、（ＩＩＩａ）に示されている強度を加算して平均（正規化）すると、（ＩＶａ）に示されているような読取画像情報が得られる。このように、従来の画像読取装置において行われる補間処理では、白黒文字原稿画像を高精度に再現した読取画像情報を得ることができないことがわかる。
【００２６】
なお、本実施形態における加算処理では、Ｒ色、Ｇ色、Ｂ色それぞれの受光素子が得る各スペクトルのピーク強度を正規化するためのゲインを決めておけば、グレースケールの原稿画像についても対応可能である。
【００２７】
次に、第二実施形態に係る画像読取装置について行われる動作について説明する。なお、第二実施形態に係る画像読取装置は、光源装置１０４３に設けられている光源が第一実施形態のものとは異なる以外は、第一実施形態に係る画像読取装置１００と同一の構成であるため、同一の構成要素については同一の符番を付して、説明を省略する。
【００２８】
第二実施形態に係る画像読取装置に設けられている光源装置１０４３は、Ｒ、Ｇ、Ｂ色のＬｉｇｈｔ  Ｅｍｉｔｔｉｎｇ  Ｄｉｏｄｅ（ＬＥＤ）光源から構成されている。ＬＥＤ光源は、ＬＤ光源よりも広く普及しており、大量生産に好適な光源である。
【００２９】
図９は、第二実施形態に係る画像読取装置の動作のフローチャートを示している。
【００３０】
まず、第二実施形態に係る画像読取装置において、画像の読み取りが指示されると（Ｓ２０）、プロジェクター１０４によって載置台１０１の投影読取範囲内に白色光が投影され（Ｓ２１）、カメラ１０３が投影読取範囲内の画像を読み取る（Ｓ２２）。
そして、制御部１０６は、読み取られた画像が単色画像であるか判定を行う（Ｓ２３）。もし、読み取られた画像が白黒文字原稿等の単色画像である場合には（Ｓ２３のＹｅｓ）、プロジェクター１０４によって投影読取範囲内にＧ色の光（単色光）が投影（照明）される（Ｓ２４）。
そして、Ｇ色の光が投影された状態で、カメラ１０３が投影読取範囲内の画像を読み取る（Ｓ２５）。そして、制御部（演算部）１０６は、読み取られた画像に対して加算処理（Ｓ２６）及び２値化処理（Ｓ２７）を行い、処理された読取画像情報が出力され（Ｓ２９）、第二実施形態に係る画像読取装置は、画像の読み取りを終了する（Ｓ３０）。
一方で、もし、Ｓ２２において読み取られた画像が単色画像でなかった場合には（Ｓ２３のＮｏ）、制御部１０６は、Ｓ２２において読み取られた画像に対してカラー補間処理を行う（Ｓ２８）。そして、処理された読取画像情報が出力され（Ｓ２９）、第二実施形態に係る画像読取装置は、画像の読み取りを終了する（Ｓ３０）。
なお、Ｓ２６における加算処理及びＳ２７における２値化処理の詳細については後述する。また、Ｓ２８におけるカラー補間処理については、本発明の範囲外であるため、説明を省略する。
【００３１】
図１０は、光源装置１０４３のＧ色のＬＥＤのスペクトルを示しており、Ｇ色のＬＥＤは、約５２０ｎｍに中心を持ち、半値幅が３７ｎｍの分光特性を有していることがわかる。従って、Ｇ色のＬＥＤのスペクトルの幅は、図４に示されるＬＤのスペクトルよりは幾分広いが、図６に示される白色ＬＥＤのスペクトルよりは十分に狭い。
【００３２】
そして、このＧ色のＬＥＤによって照明された白黒文字原稿の白色の下地から反射された光線を、カラーエリアイメージセンサ１０３２のＲ色、Ｇ色、Ｂ色それぞれの受光素子が受光する場合に、図１１に示されるようなスペクトルが得られる。
図１１に示されるように、カラーエリアイメージセンサ１０３２のＲ色、Ｇ色、Ｂ色それぞれの受光素子が得るスペクトルは、図５に示されるスペクトルよりは幾分ズレながらも重なっている。すなわち、各色の受光素子がともに十分に近い波長帯の光を受光する画像読み取りができることがわかる。
なお、図１１に示される各スペクトルはそれぞれ、ピーク強度が１になるように正規化されていることに注意されたい。
【００３３】
次に、Ｓ２６における加算処理及びＳ２７における２値化処理について具体的に述べる。
【００３４】
図１２は、第二実施形態に係る画像読取装置において行われる加算処理及び２値化処理の図を示している。
【００３５】
まず、（Ｉ）に示されるような白黒文字原稿画像（白黒原稿）を（ＩＩ）に示されるようなカラーエリアイメージセンサ１０３２で読み取る場合を考える。ここで、（Ｉ）中の数字は、明度を表しており、すなわち、０及び１はそれぞれ、黒及び白である。
Ｇ色の光が原稿に投影された状態で、カラーエリアイメージセンサ１０３２が原稿画像を読み取ると、Ｒ色、Ｇ色、Ｂ色それぞれの受光素子の受光強度は（ＩＩＩ）のように取得される。
ここで、（ＩＩＩ）に示されているように、分光特性の幅が幾分広いＬＥＤ光源を使用しているために、読取レンズ１０３１が有する軸上色収差等の影響を受けることによって、Ｒ色、Ｇ色及びＢ色の受光素子の受光強度はそれぞれ０．６、１及び０．９となっている。
そして、（ＩＩＩ）に示されているＲ色、Ｇ色、Ｂ色それぞれの受光素子の受光強度（受光強度に基づく情報）を加算する（加算処理）と、（ＩＶ）に示されているような読取画像情報を得ることができる。
（ＩＶ）に示されているような読取画像情報では、強度値にバラツキがあるため、画像としてのムラを生じさせる。そのため、さらに０．５を閾値とした２値化処理を行うことによって、最終的に（Ｖ）のような読取画像情報を得ることができる。
従って、本実施形態に係る画像読取装置では、加算処理及び２値化処理を行うことによって、白黒文字原稿画像を高精度に再現した読取画像情報を得ることができる。
【００３６】
第一実施形態に係る画像読取装置１００及び第二実施形態に係る画像読取装置において得られた読取画像情報は、不図示のＳＤカード等のメモリー部に転送される。または、得られた読取画像情報をプリンターやパーソナルコンピューターに転送することによって、該画像読取装置を複写機やイメージスキャナとして使用することも可能である。また、該画像読取装置において、読取画像情報をプロジェクター１０４で投影することによって、プレビュー表示することも可能である。
【００３７】
以上、本発明の好ましい実施形態について説明したが、本発明はこれらの実施形態に限定されず、その要旨の範囲内で種々の変形及び変更が可能である。
【００３８】
例えば、画像表示素子１０４２は液晶であっても良く、また、光源装置１０４３の光源は白色光源とカラーフィルターの組合せであっても良い。また、読取レンズ１０３１及び投影レンズ１０４１は、反射光学系を含んでいても良い。
また、２値化処理は、白と黒の２値に限定されるものではなく、白と赤、白とマゼンタ等に出力されるように、チャンネルごとに２値化処理されても良い。
【００３９】
また、本発明では、プロジェクター１０４は、半値幅が１００ｎｍ以下のＬＤ又はＬＥＤ光源を備えていることが好ましい。
【符号の説明】
【００４０】
１００  画像読取装置
１０１  載置台（載置面）
１０３  カメラ（撮像部）
１０４  プロジェクター（照明部）
１０６  制御部（演算部）
１０３２  カラーエリアイメージセンサ（複数の受光素子）
Ｍ  原稿
【図１】
2016225689.tif 000003
【図２】
2016225689.tif 000004
【図３】
2016225689.tif 000005
【図４】
2016225689.tif 000006
【図５】
2016225689.tif 000007
【図６】
2016225689.tif 000008
【図７】
2016225689.tif 000009
【図８】
2016225689.tif 000010
【図９】
2016225689.tif 000011
【図１０】
2016225689.tif 000012
【図１１】
2016225689.tif 000013
【図１２】
2016225689.tif 000014
【図１３】
2016225689.tif 000015
【図１４】
2016225689.tif 000016